(57)【特許請求の範囲】
【請求項１】
室外側引き戸内から進退する操作レバーにより上下駆動されるロック操作プレートと、
ロック操作プレートの駆動方向により回転方向が選択され、室外側引き戸の係入孔に進退して室外側引き戸を施解錠する鎌形ロック部材と、
圧縮スプリングにより室外側に付勢され、飛び出し側ストローク終端位置においてのみロック操作プレートの施錠方向への移動を禁止する室外側引き戸の検知部材とを錠ケースに配置して室内側引き戸に収容され、
前記検知部材は、ドライバが挿通可能な径を有し、かつ、鎌形ロック部材が係入孔を臨む位置において室外側引き戸に設けられた位置決め孔を望む中空部を有して中空筒状に形成される引き戸錠の室内側引き戸用錠装置。
【請求項２】
前記ロック操作プレートに連結され、ロック操作プレートの上下動により前記検知部材の中空部を開放、閉塞する表示プレートを有し、
検知部材の中空部の開閉によりロック状態の確認が可能な請求項１記載の引き戸錠の室内側引き戸用錠装置。
【発明の詳細な説明】
【技術分野】
【０００１】
本発明は引き戸錠の室内側引き戸用錠装置に関するものである。
【背景技術】
【０００２】
引き戸を施錠するための引き戸錠としては、特開平１０-２８０７６７号公報記載のものが知られている。この従来例において、室外側の引き戸内には一対の操作レバーが同軸回りに回転自在に軸支される室外側引き戸用錠装置が、室内側の引き戸には鎌形ロック部材が回転自在に軸支された室内側引き戸用錠装置が各々収納される。
【０００３】
室外側引き戸用錠装置の操作レバーは、室外側引き戸に固定されたシリンダ錠への回転操作により上下駆動されるスライダにより回転駆動されて自由端が室内側引き戸内に進入する。鎌形ロック部材は室内側引き戸用錠装置の錠ケースに上下移動自在に配置される駆動板により駆動することができ、駆動板が下方に移動すると、室外側引き戸の係入孔に進入して室内側引き戸の移動を禁止する。シリンダ錠を施錠側に回転駆動させると一方の操作レバー（施錠操作レバー）が時計回りに回転して駆動板を引き下げて施錠状態となり、解錠側に回転駆動させると他方の操作レバーが反時計回りに回転し、駆動板を引き上げて解錠状態となる。
【０００４】
また、シリンダ錠を操作しない状態において各操作レバーは室外側引き戸内に収容された初期位置に保持される必要があり、このため、スライダは軸回りに巻回されるトーションスプリングにより操作レバーを初期位置に保持する位置に維持される。
【０００５】
しかし、この従来例においては、室内外の引き戸が閉塞状態にある場合に鎌形ロック部材が係入孔に対峙していることを保証する取付位置の調整手段や、あるいは引き戸が開放された状態で過って施錠状態になることを防止する安全装置を有しないために、動作信頼性が低いという問題がある。
【０００６】
かかる問題を解決するために、例えば、特開平８-９３２９４号公報には、室内外の錠装置を正しく正対させるための取付位置の調整装置が提供されている。しかし、これら調整装置、あるいは安全装置を個別に配置すると、引き戸錠全体が大型化するという問題がある。
【発明の開示】
【発明が解決しようとする課題】
【０００７】
本発明は、以上の欠点を解消すべくなされたものであって、動作信頼性が高く、かつ、装置の小型が可能な引き戸錠の室内側引き戸用錠装置の提供を目的とする。
【課題を解決するための手段】
【０００８】
本発明によれば上記目的は、
室外側引き戸３内から進退する操作レバー７、７’により上下駆動されるロック操作プレート１１と、
ロック操作プレート１１の駆動方向により回転方向が選択され、室外側引き戸３の係入孔６に進退して室外側引き戸３を施解錠する鎌形ロック部材５と、
圧縮スプリング１２により室外側に付勢され、飛び出し側ストローク終端位置においてのみロック操作プレート１１の施錠方向への移動を禁止する室外側引き戸３の検知部材１３とを錠ケース８に配置して室内側引き戸４に収容され、
前記検知部材１３は、ドライバ１４が挿通可能な径を有し、かつ、鎌形ロック部材５が係入孔６を臨む位置において室外側引き戸３に設けられた位置決め孔１５を望む中空部１３ａを有して中空筒状に形成される引き戸錠の室内側引き戸用錠装置１６を提供することにより達成される。
【０００９】
室内側引き戸用錠装置１６は、室外側引き戸用錠装置１０の操作レバー７、７’により上下駆動されるロック操作プレート１１を有しており、ロック操作プレート１１が駆動されると、鎌形ロック部材５が室外側引き戸３の係入孔６に進入して施錠状態となる。検知部材１３は施錠操作時に室外側引き戸３の存在を検知し、該室外側引き戸３が検知されなかった場合には、ロック操作プレート１１の移動を禁止して施錠状態への移行を阻止するので、開放状態で過って鎌形ロック部材５を突出させて引き戸を操作し、室外側引き戸３が鎌形ロック部材５に衝接して錠装置を破損することがなくなる。また、上記検知部材１３は引き戸への取付作業時の位置調整手段を兼ねているために、これらを個別に配置する場合に比して、装置を小型化できる。
【発明の効果】
【００１０】
以上の説明から明らかなように、本発明によれば、動作信頼性が高く、かつ、装置の小型が可能な引き戸錠の室内側引き戸用錠装置を得ることができる。
【発明を実施するための最良の形態】
【００１１】
図１に示すように、引き戸錠は、室外側引き戸３に装着される室外側引き戸用錠装置１０と、室内側引き戸４に装着される室内側引き戸用錠装置１６とからなる。
【００１２】
室外側引き戸用錠装置１０は室外側壁面に固定される化粧座２２と、室外側引き戸３内に固定される錠ケース８とを有し、錠ケース８には、スライダ２、および一対の操作レバー７、７’が装着される。スライダ２は化粧座２２に固定されるシリンダ錠１への回転操作により上下駆動され、駆動方向は、例えば、シリンダ錠１を施錠方向に回転操作した場合には下方に、解錠方向に操作した場合には上方に駆動されるというように、シリンダ錠１への回転操作方向により一義的に決定される。
【００１３】
図示の例において、シリンダ錠１はキー挿入開口１ａを室外側引き戸３表面に露出させて化粧座２２に固定され（図４（ａ）参照）、該キー挿入開口１ａ内に挿入されるキープレートによりロータ１ｂの端部に固定されたピニオン２３を回転させることができる。スライダ２は上記ピニオン２３の歯が噛み合う矩形開口２ｂを所定ピッチで開設した板体であり、ピニオン２３の回転により上下駆動される。
【００１４】
一対の操作レバー７、７’は錠ケース８に立設される支軸１９を共通の回転軸として該支軸１９周りに回転自在に軸支される。各操作レバー７、７’は操作先端部７ｂ、７ｂ’を備え、操作先端部７ｂ、７ｂ’が室外側引き戸３内に収容される初期姿勢（図１の状態）では、各操作先端部７ｂ、７ｂ’は室内側引き戸４を向き、かつ、支軸１９に対して上下反対方に位置する。上記支軸１９は、該支軸１９から操作先端部７ｂ、７ｂ’までの距離（レバー長）が短くても、室内側引き戸４への進入距離を長くするために、可及的にストライク面２１に接近して設けられる。これら操作レバー７、７’は図４（ｂ）に示すように、表裏面を接触させた積層状態で支軸１９に軸支されており、各操作レバー７、７’には互いに背向するピン７ａ、７ａ’が突設される。ピン７ａ、７ａ’は支軸１９に対して操作先端部７ｂ、７ｂ’と反対方で、かつ、支軸１９から引いた上記スライダ２の操作方向線（図５（ａ）における矢印Ｂ）より適宜間隔δ離れた位置に設けられ、該ピン７ａ、７ａ’をスライダ２により押し下げ、あるいは引き上げることにより支軸１９周りに回転させることができる。
【００１５】
上記操作レバー７、７’を回転操作するために、スライダ２には各操作レバー７、７’のピン７ａ、７ａ’に対応する一対の干渉部２ａ、２ａ’が形成される。図５に示すように、各干渉部２ａ、２ａ’は、一方がスライダ２の降下時に一方のピン７ａに干渉して該ピン７ａを押し下げ、他方がスライダ２の上昇時に他方のピン７ａ’に干渉して該ピン７ａ’を押し上げるように形成される。干渉部２ａ、２ａ’の位置は一方がピン７ａを作動させている際には、他方の干渉部２ａ’は他方のピン７ａ’から離隔した位置にあるように設定され、スライダ２の駆動方向により操作レバー７、７’のいずれか一方のみに選択的に回転力が与えられる。
【００１６】
図示の例において、スライダ２は各操作レバー７、７’の表面に平行し、縦長の切欠２ｄ、２ｄ’が切り欠かれた２枚の翼片２ｃ、２ｃ’を有し、一方の切欠２ｄ’の上端、および他方の切欠２ｄの下端が干渉部２ａ、２ａ’とされる（図４参照）。両操作レバー７、７’が初期位置にある際には、各干渉部２ａ、２ａ’は対応する操作レバー７、７’のピン７ａ、７ａ’に圧接しており、図２に示すように、スライダ２が施錠方向（下方向）に駆動された際には一方の操作レバー７（以降、施錠操作時に回転する操作レバー７を便宜上「施錠用操作レバー７」、解錠操作時に回転する操作レバー７’を「解錠用操作レバー７’」と呼ぶ。）のみが干渉部２ａに干渉して反時計回りに回転し、図３に示すように、解錠方向に駆動された際には解錠用操作レバー７’のみが時計回りに回転する。干渉部２ａ、２ａ’は図５に示すように、室外表面側に延びる凹部２ｅを有しており、操作レバー７、７’のピン７ａ、７ａ’は干渉部２ａ、２ａ’に押圧された際に、支軸１９周りに回転しながら凹部２ｅ内に嵌合する。
【００１７】
上記各操作レバー７、７’を初期位置に維持するために、トーションスプリング９が装着される。トーションスプリング９はコイル部９ａと、コイル部９ａから延設される脚部９ｂとからなり、脚部９ｂ先端にはリング部９ｃが形成される。リング部９ｃは上記ピン７ａ、７ａ’に形成された嵌合溝（図示せず）に遊嵌し、ピン７ａ、７ａ’に対して空転自在で、かつ、ピン７ａ、７ａ’の自由端方向への移動が規制されて抜け止めされる。このトーションスプリング９は図４（ｂ）に示すように、コイル部９ａの巻き方向を支軸１９の長手方向に合致させた姿勢で配置され、一方のリング部９ｃが施錠用操作レバー７のピン７ａに、他方が解錠用操作レバー７’のピン７ａ’に装着される。操作レバー７、７’に装着した状態でコイル部９ａは操作レバー７、７’の後方に無拘束状態で保持され、脚部９ｂの位置関係により決定される所定位置を占める。また、トーションスプリング９は両操作レバー７、７’が初期位置にある際に所定の初期撓み角が与えられるように設計されており、ピン７ａ、７ａ’はトーションスプリング９により相互に離間する方向に付勢されて対応する干渉部２ａ、２ａ’に圧接し、各操作レバー７、７’は初期姿勢を維持する。
【００１８】
いずれかの操作レバー７、７’が回転すると、該操作レバー７、７’のピン７ａ、７ａ’は他方の操作レバー７’、７のピン７ａ’、７ａに接近する関係にあるから、コイル部９ａはピン７ａ、７ａ’間に引いた線分を底辺とする二等辺三角形上の頂点位置に移動しながら巻き込み角（撓み角）を増加させる。この後、操作レバー７、７’への操作力が解除されると、コイル部９ａにおける弾性復元力により操作レバー７、７’は初期位置に戻される。上述したように、操作レバー７、７’が干渉部２ａ、２ａ’に押圧された状態でピン７ａ、７ａ’は凹部２ｅ内に嵌合しているために、例えば操作レバー７、７’が近傍の部品に干渉してトーションスプリング９の弾性復元力では戻らない場合でも、シリンダ錠１を操作することにより、凹部２ｅの干渉部２ａ、２ａ’との対向壁面２ｆ（図５参照）によりピン７ａ、７ａ’を強制操作することができるために、信頼性が向上する。また、初期位置においてピン７ａ、７ａ’は干渉部２ａ、２ａ’に圧接しているために、スライダ２との間にがたつきが発生することがない。この結果、操作レバー７、７’がストライク面２１より突出して室内側引き戸４と干渉することがなく、しかも、シリンダ錠１のロータ１ｂがキー抜き差し位置まで確実に戻るために、キーの抜き差し感も良好になる。
【００１９】
したがってこの実施の形態において、シリンダ錠１を施錠方向に回転させると、図２に示すように、スライダ２を介して施錠用操作レバー７が回転し、後述する室内側引き戸用錠装置１６の鎌形ロック部材５を施錠位置に移行させて施錠が完了する。この後、シリンダ錠１への操作力を解除すると、トーションスプリング９の弾性復元力により施錠用操作レバー７は初期位置に復帰する。また、施錠状態からシリンダ錠１を解錠方向に回転させると、図３に示すように、スライダ２を介して解錠用操作レバー７’が回転し、鎌形ロック部材５を解錠位置に移行させて解錠状態となり、シリンダ錠１への操作力の解除とともに解錠用操作レバー７’は初期位置に復帰する。
【００２０】
一方、室内側引き戸用錠装置１６は、図１に示すように、室内側引き戸４に固定される錠ケース１８と、室内側表面に配置される化粧座２４とを有し、錠ケース１８にはロック操作プレート１１と、鎌形ロック部材５が配置される。錠ケース１８に上下移動自在に装着されるロック操作プレート１１は作動片１１ａを備え、図２、図３に示すように、室内側引き戸用錠装置１６内に進入してきた操作レバー７、７’の操作先端部７ｂ、７ｂ’に作動片１１ａが押し上げられ、または押し下げられて上下駆動される。
【００２１】
鎌形ロック部材５は、先端に鎌形のロック部５ａを有し、錠ケース１８に回転自在に軸支される。この鎌形ロック部材５には、上記ロック操作プレート１１に突設されるロック操作突起１１ｂが遊嵌する長孔５ｂが形成され、ロック操作プレート１１の上下動に対応してロック部５ａが室内側引き戸４内に収容される解錠位置（図１の状態）と、上記室外側引き戸用錠装置１０の係入孔６から進入してストライクプレート２５に係止する施錠位置（図２の状態）との間を回転する。また、ロック操作プレート１１と錠ケース１８との間にはクリックスプリング２６が介装され、ロック操作プレート１１を下方ストローク終端位置と上方ストローク終端位置のいずれかに停止させる。
【００２２】
図示の例において、クリックスプリング２６は両脚部２６ａをロック操作突起１１ｂ、および鎌形ロック部材５の支軸２７に遊嵌して装着されており、施錠用操作レバー７によりロック操作プレート１１が所定長押し上げられると、ロック操作プレート１１はクリックスプリング２６の作用により上方ストローク終端まで移動して鎌形ロック部材５を施錠位置に移行させる（図２参照）。また、施錠状態において解錠用操作レバー７’によってロック操作プレート１１が押し下げられると、クリックスプリング２６の作用によりロック操作プレート１１は下方ストローク終端まで移動し、鎌形ロック部材５を解錠位置に移動させる（図１参照）。
【００２３】
また、この実施の形態において、室内側引き戸用錠装置１６には施錠時における引き戸間の隙間からの操作レバー７、７’へのアクセスを禁止するためのガードカバー２０が設けられる。ガードカバー２０は、図６（ａ）に示すように、初期位置にある両操作レバー７、７’の操作先端部７ｂ、７ｂ’の周囲を囲むことができる程度の大きさの中空矩形断面を有し、錠ケース１８に対して室外側に向けて移動自在に装着される。一方、ロック操作プレート１１にはガイド溝１１ｃが形成されており、上記ガードカバー２０の側面から突設されるガイドピン２０ａが遊嵌される。ガイド溝１１ｃはロック操作プレート１１の施錠方向への移動によりガイドピン２０ａを室外側に移動させるように形成される。
【００２４】
ロック操作プレート１１が施錠方向に駆動されると、ガイドピン２０ａが押されてガードカバー２０は室外側引き戸用錠装置１０側に飛び出し、チリ寸ｗが小さな場合には、室外側引き戸用錠装置１０内に進入し、チリ寸ｗが大きな場合には、図２に示すように、ストライク面２１とほぼ同一面に先端が位置して引き戸３、４間に突出してきた操作レバー７、７’を囲む。このため、施錠状態において引き戸３、４間の隙間から杆体を差し込んで解錠操作レバー７’を強制回転させ、鎌形ロック部材５を初期位置に移動させることができないために、防盗性能が向上する。
【００２５】
さらに、この実施の形態において、室内側引き戸用錠装置１６には施錠操作時に施錠位置に室外側引き戸３がない場合、施錠操作を禁止する安全装置２８が配置される。図８、９に示すように、安全装置２８は、圧縮スプリング１２により室外側、すなわち、室外側引き戸３側に付勢される検知部材１３と、ロック操作プレート１１とから構成され、ロック操作プレート１１にはストッパ部１１ｄと、ロック操作プレート１１が解錠位置にある際に圧縮スプリング１２の付勢力に抗して検知部材１３を室外側引き戸３に干渉しない位置まで退避させる制止部１１ｅが設けられる。一方、検知部材１３には、該検知部材１３が飛び出し側ストローク終端位置にある時に上記ストッパ部１１ｄの施錠位置方向への移動経路を遮断し、その他の飛び出し位置ではストッパ部１１ｄの移動経路を開放するブロック部１３ｂが設けられる。
【００２６】
解錠位置からロック操作プレート１１を施錠位置側に移動させようとすると、まず、制止部１１ｅによる検知部材１３の制止が解除されて検知部材１３は圧縮スプリング１２の弾性復元力により飛び出し方向に移動する。図８（ａ）に示すように、飛び出し方向に施錠対象である室外側引き戸３が存在していると、検知部材１３は室外側引き戸３に衝接するために飛び出し側ストローク終端まで飛び出すことができない。この状態ではストッパ部１１ｄの移動経路は開放されているために、ロック操作プレート１１は図８（ｂ）に示すように、さらに上方、すなわち施錠位置側に移動することが可能であり、鎌形ロック部材５を施錠位置に移動させることができる。これに対し、図９に示すように、飛び出し方向に室外側引き戸３が存在していない場合には、検知部材１３は飛び出し側ストローク終端まで飛び出すために、ストッパ部１１ｄの移動経路はブロック部１３ｂにより遮断されてロック操作プレート１１は施錠位置まで移動することができず、鎌形ロック部材５が施錠位置に移動することはない。
【００２７】
図示の例において、検知部材１３は側壁部に形成されたガイド突部１３ｃを錠ケース１８のガイド溝に嵌合して錠ケース１８に対して摺動自在に装着され（図７参照）、圧縮スプリング１２は検知部材１３の室内側先端にバネ受け凹部１３ｄと、錠ケース１８に設けられたバネ受け突部１８ａに径方向を拘束されて所定位置に配置される（図１参照）。また、制止部１１ｅは傾斜面で検知部材１３に接触しており、ロック操作プレート１１の施錠位置への移動が禁止された状態で操作力を解除した際には、クリックスプリング２６の復元力によって制止部１１ｅの傾斜面に発生する縮退方向の分力が圧縮スプリング１２の力より大きいことから検知部材１３は退避位置に自動的に移動する。
【００２８】
さらに、上記検知部材１３は、引き戸を閉めた状態で鎌形ロック部材５が係入孔６に正対するように室内側引き戸用錠装置１６と、室外側引き戸用錠装置１０の相対位置を取付作業時に調整するための取付位置調整装置としても利用される。取付位置調整装置として利用するために、検知部材１３はドライバ１４が挿通可能な径の中空部１３ａを有して中空筒状に形成される。この検知部材１３の中空部１３ａは室内側引き戸用錠装置１６の室内側表面に開放されており、鎌形ロック部材５が係入孔６に正対した状態で室外側引き戸用錠装置１０の位置決め孔１５と一直線上に並ぶように配置される。
【００２９】
図示の例において、圧縮スプリング１２の内径は検知部材１３の中空部１３ａの径よりやや大径に形成されており、バネ受け突部１８ａと化粧座２４には検知部材１３の中空部１３ａと一直線に並ぶ透孔２９が形成される。室内側引き戸用錠装置１６を固定するに際して、まず、図１に示すように、透孔２９、および検知部材１３の中空部１３ａにドライバ１４を貫通させ、さらに、ドライバ１４の先端を室外側引き戸用錠装置１０の位置決め孔１５に挿入する。この状態において室外側引き戸用錠装置１０、室内側引き戸用錠装置１６の錠ケース１８、および化粧座２４は正規位置に整列されており、ビス等を締め付ければ鎌形ロック部材５が係入孔６に正対した状態で各部を固定することができる。
【００３０】
加えて、この実施の形態において、室内側引き戸用錠装置１６には室内側から施解錠操作をするための室内側錠操作手段と、室内側から施錠状態を知るための表示手段を備える。室内側錠操作手段は、ロック操作プレート１１の操作部３０を室内側に露出させて形成され、表示手段は、操作部３０に連結され、操作部３０の操作により上記透孔２９を閉塞、開放する表示プレート１７により構成される。
【００３１】
図示の例において、操作部３０はロック操作プレート１１に止着されるスライドピン３０ａを、化粧座２４に対して上下方向に摺動自在なスライドノブ３０ｂに嵌合させて形成される。スライドノブ３０ｂには化粧座２４に対するガイド板を兼用する表示プレート１７が一体に形成される。図２に示すように、スライドノブ３０ｂを上方に移動させると、ロック操作プレート１１は上方に移動して鎌形ロック部材５を施錠位置に移動させることができ、このとき、表示プレート１７は化粧座２４の透孔２９を閉塞する。図１に示すように、鎌形ロック部材５が解錠位置にある際には、透孔２９は開放状態であるために、利用者は透孔２９を覗き、開放状態であるか否かで施解錠状態を判別できる。この場合、表示プレート１７に着色しておけば、視認性がより良好になる。
【００３２】
図１０に室外側引き戸用錠装置１０の変形例を示す。この変形例は、扉厚の変化に対する融通性を高めるための変形を示すもので、ピニオン２３の中心には軸方向に貫通する角穴２３ａが形成される。一方、シリンダ錠１のロータ１ｂの端部には薄い引き戸の厚さよりやや短寸の角芯１ｃが固定される。角芯１ｃは上記角穴２３ａに嵌合可能な断面矩形の杆体であり、先端には導入テーパ１ｄが設けられる。したがってこの変形例において、図１０（ｂ）に示すように厚さの厚い引き戸に対しても、構成要素を変化させることなく、錠装置を装着することができるために、汎用性が高まる。
【図面の簡単な説明】
【００３３】
【図１】引き戸錠を示す断面図である。
【図２】施錠操作を示す断面図である。
【図３】解錠操作を示す断面図である。
【図４】室外側引き戸用錠装置を示す図で、（ａ）は図１の５Ａ方向矢視図、（ｂ）は図１の５Ｂ方向矢視図である。
【図５】スライダの要部を示す図で、（ａ）は図４（ｂ）の６Ａ方向矢視図、（ｂ）は図４（ｂ）の６Ｂ方向矢視図である。
【図６】室内側引き戸用錠装置を示す図で、（ａ）は図１の７Ａ方向矢視図、（ｂ）は図１の７Ｂ方向矢視図である。
【図７】安全装置を示す図で、（ａ）は側面図、（ｂ）は（ａ）の８Ｂ方向矢視図である。
【図８】安全装置が解除された状態を示す図で、（ａ）は施錠操作途中を示す図、（ｂ）は施錠完了状態を示す図である。
【図９】安全装置の作動状態を示す図である。
【図１０】本発明の変形例を示す図で、（ａ）は厚さの薄い引き戸への適用を示す図、（ｂ）は厚さの厚い引き戸への適用を示す図である。
【符号の説明】
【００３４】
１        シリンダ錠
２        スライダ
２ａ、２ａ’      干渉部
３        室外側引き戸
４        室内側引き戸
５        鎌形ロック部材
６        係入孔
７、７’        操作レバー
７ａ、７ａ’      ピン
８        錠ケース
９        トーションスプリング
９ａ      コイル部
９ｂ      脚部
９ｃ      リング部
１０      室外側引き戸用錠装置
１１      ロック操作プレート
１２      圧縮スプリング
１３      検知部材
１３ａ    中空部
１４      ドライバ
１５      位置決め孔
１６      室内側引き戸用錠装置
１７      表示プレート
１８      錠ケース
【図１】
0004486635.tif 000002
【図２】
0004486635.tif 000003
【図３】
0004486635.tif 000004
【図４】
0004486635.tif 000005
【図５】
0004486635.tif 000006
【図６】
0004486635.tif 000007
【図７】
0004486635.tif 000008
【図８】
0004486635.tif 000009
【図９】
0004486635.tif 000010
【図１０】
0004486635.tif 000011